(57)【要約】【課題】差動アンプのような入力側のＣＲ定数を厳密に調整することが必要な回路において、静電容量値の差が確実に所望の範囲内に入る積層セラミックコンデンサの製造方法並びにその選別装置を提供する。【解決手段】複数のコンデンサ要素を有する積層セラミックコンデンサの各コンデンサ要素の静電容量値を測定する容量測定部と、前記各コンデンサの静電容量値の差を計算し、あらかじめ決められた所定の容量値差との比較を行う演算部と、前記所定の容量値差よりも前記各コンデンサの静電容量値差が大きな積層セラミックコンデンサを除外する選別部とを有する積層セラミックコンデンサの選別装置により複数のコンデンサ要素から選ばれた２個または２個以上のコンデンサ要素の容量値の差が予め決められた所定の値の範囲内になるように選別を行う。【選択図】図１
2007180323.tif 000002
【特許請求の範囲】
【請求項１】
複数のコンデンサ要素を有する積層セラミックコンデンサにおいて、前記複数のコンデンサ要素から選ばれた２個または２個以上のコンデンサ要素の容量値の差が所定の値の範囲内になるように選別を行うことを特徴とする積層セラミックコンデンサの製造方法。
【請求項２】
コンデンサ要素は２個であり、前記２個のコンデンサ要素の容量値の差が所定の値の範囲内になるように選別を行うことを特徴とする請求項１に記載の積層セラミックコンデンサの製造方法。
【請求項３】
複数のコンデンサ要素を有する積層セラミックコンデンサの各コンデンサ要素の静電容量値を測定する静電容量測定部と、前記各コンデンサの静電容量値の差を計算し、あらかじめ決められた所定の容量値差との比較を行う演算部と、前記所定の容量値差よりも前記各コンデンサの静電容量値差が大きな積層セラミックコンデンサを除外する選別部とを有する積層セラミックコンデンサの選別装置。
【発明の詳細な説明】
【技術分野】
【０００１】
本発明は、複数のコンデンサ要素を有する積層セラミックコンデンサの製造方法並びにその選別装置に関するものである。
【背景技術】
【０００２】
オーディオアンプ等に用いられる差動アンプの入力部にはゲイン調整用の抵抗Ｒと直流電流をカットするためのコンデンサＣとが使用される。
【０００３】
上記差動アンプの起動時には入力端の電位はゼロから一定のレベルへと上昇するが、この電位上昇速度は接続されたコンデンサ（Ｃ）と抵抗（Ｒ）の時定数の影響を受ける。
【０００４】
正負両入力端にはそれぞれ同じ定数の抵抗（Ｒ）及びコンデンサ（Ｃ）が用いられるのが通常であるが、製品バラツキによりＣＲ時定数に差異が生じると両入力端に電位差が生じるので、ゲイン発生時点でノイズ性の入力として働き、アンプ起動時にスピーカなどの出力部からポップノイズと呼ばれる耳障りな音が生じることがある。
【０００５】
従って、ＣＲ時定数を合わせるために差動アンプなどの入力端に用いられるコンデンサの静電容量値の差が所定の範囲内に入っている必要がある。
【０００６】
コンデンサの静電容量値の差を所定の静電容量値内とするために、従来は個別のコンデンサの各静電容量値を厳密に規定し、個別のコンデンサを組み合わせて使用した場合においても、各コンデンサの静電容量値の差が所望の範囲内に収まるように、コンデンサの容量選別を厳しくして用いていた。
【０００７】
なお、本出願に関する先行技術文献としては、例えば特許文献１及び特許文献２をあげることができる。
【特許文献１】特開平１０−３４０８３２号公報
【特許文献２】特開２００２−０６４０４１号公報
【発明の開示】
【発明が解決しようとする課題】
【０００８】
しかし上記の特許文献１に記載されているような従来の方法で個別のコンデンサの静電容量選別を行う場合、元々直流電流をカットするためのコンデンサに求められる容量値許容差に比べて、ＣＲ時定数を合わせるための静電容量値差はより小さい事が必要なため、コンデンサの容量値が非常に狭い範囲に入っていることが必要となり、歩留まりが低くなる。
【０００９】
従って本発明は、上記の差動アンプのような入力側のＣＲ定数を厳密に調整することが必要な回路において、静電容量値の差が確実に所望の範囲内に入る積層セラミックコンデンサの製造方法並びにその選別装置を提供することを目的とする。
【課題を解決するための手段】
【００１０】
この目的を達成するために本発明の積層セラミックコンデンサの製造方法は、複数のコンデンサ要素を有する積層セラミックコンデンサにおいて、これら複数のコンデンサ要素から選ばれた２個または２個以上のコンデンサ要素の容量値の差が予め決められた所定の値の範囲内になるように選別を行う積層セラミックコンデンサの製造方法であり、差動入力回路などに使用された時に容易にＣＲ定数を合わせることができるため、アンプ起動時にスピーカなどの出力部に生じるポップノイズと呼ばれる耳障りな音を低減できる積層セラミックコンデンサを容易に提供することができる。
【００１１】
さらに本発明の積層セラミックコンデンサの製造方法では２個のコンデンサ要素に対してこれら２個のコンデンサ要素の容量値の差が所定の値の範囲内になるように選別を行うものであり、差動入力回路に最も適した２連型の積層セラミックコンデンサの容量値の差が予め決められた所定の値の範囲内になるように選別を行うので、アンプ起動時にスピーカなどの出力部に生じるポップノイズと呼ばれる耳障りな音を低減できる積層セラミックコンデンサを容易に提供することができる。
【００１２】
さらに、本発明の選別装置は、複数のコンデンサ要素を有する積層セラミックコンデンサの各コンデンサ要素の静電容量値を測定する容量測定部と、前記各コンデンサの静電容量値の差を計算し、あらかじめ決められた所定の容量値差との比較を行う演算部と、前記所定の容量値差よりも前記各コンデンサの静電容量値差が大きな積層セラミックコンデンサを除外する選別部とを有する積層セラミックコンデンサの選別装置であり、比較的容易な方法でアンプ起動時にスピーカなどの出力部に生じるポップノイズと呼ばれる耳障りな音を低減できる積層セラミックコンデンサを選別することができる。
【発明の効果】
【００１３】
本発明によると、複数のコンデンサ要素を有する積層セラミックコンデンサにおいて、これら複数のコンデンサ要素から選ばれた２個または２個以上のコンデンサ要素の容量値の差が予め決められた所定の値の範囲内になるように選別を行うという構成としたため、差動入力回路などに使用された時に容易にＣＲ定数を合わせることができ、アンプ起動時にスピーカなどの出力部に生じるポップノイズと呼ばれる耳障りな音を低減できる積層セラミックコンデンサを容易に提供することができるという効果を有する。
【発明を実施するための最良の形態】
【００１４】
以下、本発明の積層セラミックコンデンサの製造方法並びにその選別装置について、一実施の形態および図１〜図５を用いて説明する。
【００１５】
図１は本一実施の形態で使用する積層セラミックコンデンサの選別装置の機能を表したブロック図であり、太い矢印は作業の流れを示し、細い矢印は情報の流れを示す。
【００１６】
多連型積層セラミックコンデンサ素子は整列部１１で所定の位置に二対の外部電極が来るように整列され、この素子整列部１１からは搬送系の各保持位置でのコンデンサの存否情報が演算部１３に送られる。
【００１７】
その後、静電容量測定部１２で２個のコンデンサ要素のおのおのの静電容量値を測定する。測定した静電容量値のデータは前記演算部１３に送られ、この演算部１３で２個のコンデンサ要素の静電容量おのおのが所定の静電容量値の範囲内に入っているかどうかとともに、２個のコンデンサ要素の静電容量値の差が所定の範囲内（例えば５％以内）に入っているかどうかの判定を行う。所定の範囲はこの多連型積層セラミックコンデンサが使用される回路によって変わるが、２０％以下の任意の範囲で決められる。更にポップノイズの効果的な低減のためには、より好ましくは５％以下とする。このようにして静電容量値並びに静電容量値の差が所定の範囲であるものを良品とし、この判定結果は素子毎の情報として演算部１３に保持される。
【００１８】
次に、演算部１３が所定の特性値範囲を外れるものを除外するように選別部１４を駆動する。これらの一連の動作により、コンデンサの静電容量選別が実現される。
【００１９】
なお、静電容量測定後に絶縁抵抗測定や耐電圧評価を実施し、演算部１３でこれらの情報も加味して良否選別する構成としても良い。
【００２０】
図２は、一般的な多連型の積層セラミックコンデンサ２１の一部切欠斜視図であり、誘電体層２２と内部電極２３とが交互に積層されて積層体を構成し、内部電極２３はその端面が積層体の対向する両端面に交互に露出するよう積層されており、積層体の両側面に形成された外部電極２４に交互に接続されている。
【００２１】
図３は図２に示した多連型の積層セラミックコンデンサ２１の製造工程を説明するための分解斜視図であり、焼成により誘電体層２２となるグリーンシート３１に内部電極３２を印刷した後、この内部電極印刷後のグリーンシートを図３に示すように内部電極３２が一対の端面に交互に露出するように所定の間隔ずらせて所定の枚数を積層し、その上下に内部電極３２を印刷しないようにグリーンシートを所定枚数積層した保護層３３を形成している。
【００２２】
次に、本発明に係る２個のコンデンサ要素を有する多連型積層セラミックコンデンサの製造方法について詳細に説明する。
【００２３】
まず、チタン酸バリウムを主成分とするセラミック粉末と、有機結合材成分としてポリビニルブチラール樹脂と、溶剤、可塑剤、分散剤等を混合してセラミックスラリーを作製し、ドクターブレード法を用いて焼成により誘電体層２２となるグリーンシート３１を作製する。
【００２４】
一方、Ｎｉ単独、あるいはＮｉを主成分としてＣｕなどの添加物を含む金属粉末と、溶剤、樹脂、可塑剤等よりなるビヒクルとを混合して電極ペーストを作製し、この電極ペーストをスクリーン印刷法によりグリーンシート上に塗布して内部電極２３となる内部電極３２を形成する。
【００２５】
次いで、この内部電極３２を形成したグリーンシート３１を所定の枚数積層して加圧し一体化して積層体グリーンブロック（図示せず）を作製する。
【００２６】
次いで、この積層体グリーンブロックを所定の寸法に切断して、焼成により積層セラミックコンデンサ２１となる積層セラミックグリーンチップ（図示せず）を作製した。
【００２７】
次いで、前記積層セラミックグリーンチップをバッチ式雰囲気焼成炉に投入し、脱バインダーを行った後、窒素ガスと水素ガスの混合ガスによる還元性雰囲気下で１２００℃〜１２５０℃の範囲で焼成して、２個のコンデンサ要素を有する多連型積層セラミックコンデンサを得た。
【００２８】
この多連型積層セラミックコンデンサに２対の外部電極２４を形成した。外部電極を形成した積層セラミックコンデンサ２１について、図１にブロック図を示す選別装置を用いて、静電容量測定部で２個のコンデンサ要素の静電容量を測定し、演算部で２個のコンデンサおのおのの静電容量が所定の規格内であるかどうかの判定とともに、２個のコンデンサの静電容量値の差を算出し、この静電容量値の差が所定の範囲（容量差で５％以内）であるかどうかを判定した。
【００２９】
このようにして選別した多連型積層セラミックコンデンサと、比較例として本一実施の形態の選別を行っておらず、２個のコンデンサの静電容量値の差が５％よりも大きい多連型積層セラミックコンデンサの両方について、図４に示す回路を用いて、アンプ起動時にスピーカなどの出力部に生じるポップノイズを測定した。
【００３０】
図４はコンデンサ３７、３８、抵抗３９、コイル４０、差動アンプ４１、スピーカ４２により構成された試験用回路であり、Ｒ１、Ｒ２は抵抗３９を示す。また、Ｃ１、Ｃ２はコンデンサ３７を示す。
【００３１】
図４の回路中、差動アンプ４１は市販のゲインが５．６倍のものを用い、Ｒ１、Ｒ２は５６ｋΩ（抵抗値公差１％）の固定抵抗を使用した。Ｃ１、Ｃ２には本実施例で得られた（表１）の実施例に示す静電容量を持つ多連形積層セラミックコンデンサを用い、比較例として（表１）の比較例に示す静電容量を持つ多連形積層セラミックコンデンサを用いた。ノイズはスピーカ４２の両端子にオシロスコープ４３を接続し測定した。
【００３２】
【表１】
2007180323.tif 000003
【００３３】
本一実施の形態により選別した多連型積層セラミックコンデンサのノイズを測定した結果を図５（ａ）に、また比較例として本一実施の形態により選別しておらず、２個のコンデンサ要素の静電容量値の差が大きい多連型積層セラミックコンデンサのノイズを測定した結果を図５（ｂ）に示す。図中の横軸は秒で表した時間、縦軸はｍＶで表したノイズの電圧である。
【００３４】
図５（ａ）、図５（ｂ）から明らかなように、実施例の多連型積層セラミックコンデンサを用いた場合では、ノイズ電圧は６００ｍＶｐｐになり殆どノイズとして聴き取れないレベルであるのに対し比較例の多連型積層セラミックコンデンサを用いた場合ではノイズ電圧が１５００ｍＶｐｐとなり大きなノイズとして聴き取れた。
【００３５】
なお、静電容量の測定は、静電容量部で周波数１．０ｋＨｚ、入力信号レベル１．０Ｖｒｍｓにて測定した値である。
【００３６】
また、上記一実施の形態では、コンデンサ要素が２つの多連型積層セラミックコンデンサを例に説明したが、これに限定されるものではなく、回路によっては３つ以上のコンデンサ要素を備えた多連型積層セラミックコンデンサが用いられる場合があり、本発明はこのような場合にも有用である。
【産業上の利用可能性】
【００３７】
本発明にかかる積層セラミックコンデンサの製造方法は、複数のコンデンサ要素を有する積層セラミックコンデンサにおいて、これら複数のコンデンサ要素から選ばれた２個または２個以上のコンデンサ要素の容量値の差が予め決められた所定の値の範囲内になるように選別を行う積層セラミックコンデンサの製造方法であり、差動入力回路などに使用された時に容易にＣＲ定数を合わせることができるため、アンプ起動時にスピーカなどの出力部に生じるポップノイズと呼ばれる耳障りな音を低減できる積層セラミックコンデンサを容易に提供することができ、多連型の積層セラミックコンデンサの製造方法等に有用である。
【図面の簡単な説明】
【００３８】
【図１】本発明の一実施の形態における選別装置の概略を示すブロック図
【図２】一般的な多連型積層セラミックコンデンサの一部切欠斜視図
【図３】図２の多連型積層セラミックコンデンサの製造方法を説明するための分解斜視図
【図４】ポップノイズ測定に使用したアンプ回路のブロック図
【図５】（ａ）一実施の形態で選別した多連型積層セラミックコンデンサを図４に示す回路に用いた場合のノイズ測定結果を示す図、（ｂ）比較例の多連型積層セラミックコンデンサを図４に示す回路に用いた場合のノイズ測定結果を示す図
【符号の説明】
【００３９】
１１  素子整列部
１２  静電容量測定部
１３  演算部
１４  選別部
２１  積層セラミックコンデンサ
２２  誘電体層
２３  内部電極
２４  外部電極
３１  グリーンシート
３２  内部電極
３３  保護層
３７、３８  コンデンサ
３９  抵抗
４０  コイル
４１  差動アンプ
４２  スピーカ
４３  オシロスコープ
【図１】
2007180323.tif 000004
【図２】
2007180323.tif 000005
【図３】
2007180323.tif 000006
【図４】
2007180323.tif 000007
【図５】
2007180323.tif 000008